(57)【特許請求の範囲】
【請求項１】
専用線および交換機間の通話信号の中継を行なう中継装置あって、
呼制御信号と前記専用線上の通話信号が取り得ないパターンもしくは帯域の信号（以下、中間信号と呼ぶ）との変換処理を行なうことで、前記専用線および前記交換機間における呼制御信号の中継を行なう呼制御中継手段を有し、
前記呼制御中継手段は、
自身の前記中継装置に接続された交換機のインターフェースおよび信号方式と、前記専用線を介して対向する通信相手の前記中継装置に接続された交換機のインターフェースおよび信号方式に従って、呼制御信号および中間信号の変換モードを決定し、決定された変換モードに従い、通信相手の前記中継装置が送出する中間信号を、この中間信号の元となった、前記通信相手の中継装置に接続されている交換機よりの呼制御信号が示す呼制御内容に対応した呼制御信号へ変換するように、呼制御信号と中間信号との変換処理を行なうことで、前記専用線および前記交換機間における呼制御信号の中継を行なうこと
を特徴とする中継装置。
【請求項２】
請求項１記載の中継装置であって、
前記中継装置は、デジタル専用線を終端するターミナルアダプタであること
を特徴とする中継装置。
【請求項３】
それぞれ、アナログ端末を収容する交換機に接続された請求項１または２記載の２つの中継装置が、専用線を介して互いに接続さていること
を特徴とする通信システム。
【請求項４】
専用線および交換機間を中継する中継装置における呼制御信号の中継方法であって、
自身の前記中継装置に接続された交換機のインターフェースおよび信号方式と、前記専用線を介して対向する通信相手の前記中継装置に接続された交換機のインターフェースおよび信号方式に従って、呼制御信号および前記専用線上の通話信号が取り得ないパターンもしくは帯域の信号（以下、中間信号と呼ぶ）の変換モードを決定するステップと、
決定した変換モードに従い、通信相手の前記中継装置が送出する中間信号を、この中間信号の元となった、前記通信相手の中継装置に接続されている交換機よりの呼制御信号が示す呼制御内容に対応した呼制御信号へ変換するように、呼制御信号と中間信号との変換処理を行なうことで、前記専用線および前記交換機間における呼制御信号の中継を行なうステップと、を有すること
を特徴とする呼制御信号の中継方法。
【発明の詳細な説明】
【０００１】
【発明の属する技術分野】
本発明は、専用線および交換機間における呼制御信号の中継技術に関し、特に、交換機のインターフェースおよび信号方式が専用線を介して対向する交換機のインターフェースおよび信号方式と異なる場合でも、この２つの交換機間での呼制御信号のやり取りを可能とする中継技術に関する。
【０００２】
【従来の技術】
従来より、交換機を専用線に接続するための装置として、帯域内信号装置が知られている。帯域内信号装置は、可聴帯域外の音声周波数帯域信号を利用して、発呼、着呼、終話等の呼制御信号を送受信する。
【０００３】
【発明が解決しようとする課題】
ところで、従来の帯域内信号装置は、自身に接続される交換機と、専用線を介して対向する通信相手の帯域内信号装置に接続される交換機とが、同じインターフェースおよび信号方式を採用することを前提としている。つまり、異なるインターフェースおよび信号方式を採用する交換機同士を、専用線を介して接続することについて、何ら考慮されていなかった。
【０００４】
本発明は、上記事情に鑑みてなされたものであり、本発明の目的は、交換機のインターフェースおよび信号方式が専用線を介して対向する交換機のインターフェースおよび信号方式と異なる場合でも、この２つの交換機間での呼制御信号のやり取りを可能とすることにある。
【０００５】
【課題を解決するための手段】
上記課題を解決するために、本発明は、専用線および交換機間の通話信号の中継を行なう中継装置に、呼制御信号と前記専用線上の通話信号が取り得ないパターンもしくは帯域の信号（以下、中間信号と呼ぶ）との変換処理を行なうことで、前記専用線および前記交換機間における呼制御信号の中継を行なう呼制御中継手段を設ける。
【０００６】
ここで、中間信号として、前記専用線がデジタル専用線の場合はデジタル専用線上のデジタル通話信号が取り得ないパターン列のデジタル信号を用いる。また、前記専用線がアナログ専用線の場合はアナログ専用線上のアナログ通話信号が取り得ない帯域つまり可聴帯域外の音声周波数帯域信号を用いる。
【０００７】
そして、前記呼制御中継手段に、自身の前記中継装置に接続された交換機のインターフェースおよび信号方式と、前記専用線を介して対向する前記中継装置に接続された交換機のインターフェースおよび信号方式に従って、呼制御信号および中間信号の変換モードを決定させ、決定された変換モードに従い、呼制御信号と中間信号との変換処理を行なわせて、前記専用線および前記交換機間における呼制御信号の中継を行なわせるようにする。
【０００８】
本発明の中継装置によれば、交換機より受け取った呼制御信号は、決定された変換モードに従って中間信号に変換され、専用線に送出される。また、専用線より受け取った中間信号は、決定された変換モードに従って呼制御信号に変換され、交換機へ送出される。
【０００９】
ここで、変換モードは、自身の中継装置に接続された交換機のインターフェースおよび信号方式と、専用線を介して対向する通信相手の中継装置に接続された交換機のインターフェースおよび信号方式とに従って決定される。
【００１０】
したがって、自身の中継装置に接続された交換機のインターフェースおよび信号方式と、専用線を介して対向する通信相手の中継装置に接続された交換機のインターフェースおよび信号方式との組合わせに応じて、通信相手の中継装置が送出する中間信号を、この中間信号の元となった、前記通信相手の中継装置に接続されている交換機よりの呼制御信号が示す呼制御内容に対応した呼制御信号へ変換するように、変換モードを予め用意しておくことにより、交換機のインターフェースおよび信号方式が専用線を介して対向する交換機のインターフェースおよび信号方式と異なる場合でも、この２つの交換機間での呼制御信号のやり取りを可能とすることができる。
【００１１】
【発明の実施の形態】
以下、本発明の実施の形態について説明する。
【００１２】
図１は、本発明の一実施形態が適用されたターミナルアダプタを用いて構成された通信システムの概略図である。
【００１３】
図１において、符号１ａ、１ｂが本実施形態のターミナルアダプタである。ターミナルアダプタ１ａは、ＰＢ式の電話機等のアナログ端末２ａを収容するＰＢＸ（Private Branch Exchange）等の交換機３ａに接続されている。また、ターミナルアダプタ１ｂは、ＰＢ式の電話機等のアナログ端末２ｂを収容するＰＢＸ等の交換機３ｂに接続されている。また、ターミナルアダプタ１ａおよびターミナルアダプタ１ｂは、デジタル専用線４を介して互いに接続されている。本実施形態では、交換機３ａ、３ｂのインターフェースとして、ＳＳ/ＳＲ方式の４線式ＯＤインターフェースもしくは２線式ＣＯＴインターフェースを想定している。また、デジタル専用線４は、例えば、ＩＳＤＮ（Integrated Service Digital Network）網に接続するＨＳＤ（High Speed Digital）サービスを利用したデジタル専用線である。
【００１４】
上記構成の通信システムにおいて、ターミナルアダプタ１ａ、１ｂは、デジタル専用線４を介して、自身に接続されている交換機３ａ、３ｂのインターフェースおよび信号方式の情報を互いに交換する。そして、自身に接続されている交換機３ａ、３ｂのインターフェースおよび信号方式と、デジタル専用線４を介して対向する通信相手のターミナルアダプタ１ａ、１ｂに接続されている交換機３ａ、３ｂのインターフェースおよび信号方式とに従って、呼制御信号とデジタル専用線４上のデジタル通話信号が取り得ないパターン列を持つデジタル信号（以下、中間信号と呼ぶ）との変換モードを決定する。
【００１５】
それから、ターミナルアダプタ１ａ、１ｂは、決定された変換モードに従い、デジタル専用線４より受け取る中間信号を、この中間信号の元となった、通信相手のターミナルアダプタ１ａ、１ｂに接続されている交換機３ａ、３ｂよりの呼制御信号が示す呼処理内容に対応した呼制御信号へ変換するように、呼制御信号と中間信号との変換処理を行なう。これにより、自身に接続されている交換機３ａ、３ｂとデジタル専用線４との間の呼制御信号の中継を行なう。また、呼の確立後、通話信号のデジタル-アナログ変換処理を行なうことで、自身に接続されている交換機３ａ、３ｂとデジタル専用線４との間の通話信号の中継を行なう。これにより、アナログ端末２ａ、２ｂ間の通話が実現される。
【００１６】
図２に、本実施形態が適用されたターミナルアダプタ１ａ、１ｂの概略構成を示す。
【００１７】
図示するように、本実施形態のターミナルアダプタ１ａ、１ｂは、デジタル専用線４と接続するデジタル専用線接続部１１と、ＳＳ/ＳＲ方式の４線式ＯＤインターフェースを採用する交換機３ａ、３ｂよりのアナログ線と接続するＳＳ/ＳＲ方式４線式ＯＤＩＦ（インターフェース）処理部１２と、２線式ＣＯＴインターフェースを採用する交換機３ａ、３ｂよりのアナログ線と接続する２線式ＣＯＴＩＦ処理部１３と、ＳＳ/ＳＲ方式４線式ＯＤＩＦ処理部１２および２線式ＣＯＴＩＦ処理部１３とデジタル専用線接続部１１との間を中継する中継制御部１４と、を有する。
【００１８】
デジタル専用線接続部１１は、デジタル専用線を物理的に接続するための端子盤１１２と、デジタル専用線インターフェース部１１１と、を有する。
【００１９】
デジタル専用線インターフェース部１１１は、中継制御部１４より受け取ったデジタル信号を、ＩＳＤＮのＢチャネルに格納して、端子盤１１２に接続されたデジタル専用線４へ送信する。また、デジタル専用線インターフェース部１１１は、端子盤１１２に接続されたデジタル専用線４上のＩＳＤＮのＢチャネルからデジタル信号を抽出し、これを中継制御部１４に送信する。
【００２０】
ＳＳ/ＳＲ方式４線式ＯＤＩＦ処理部１２は、ＳＳ/ＳＲ方式の４線式ＯＤインターフェースを採用する交換機３ａ、３ｂよりのアナログ線を物理的に接続するためのアナログポート１２１と、アッテネータ１２２と、ＡＤＰＣＭ（Adaptive Differential PCM）コーデック１２３と、ＰＢレシーバ１２４と、ＰＢジェネレータ１２５と、呼制御音生成部１２６と、を有する。
【００２１】
アナログポート１２１は、８ピンコネクタであり、そのうちの４ピン１２１１がＳＳ/ＳＲ線（４線）に割り当てられている。ここで、４ピン１２１１のうちの２ピンはＳＳ信号の受信用であり、残りの２ピンはＳＲ信号の送信用である。
【００２２】
また、８ピンコネクタのうちの残り４ピン１２１２が通話線（４線）に割り当てられている。ここで、４ピン１２１２のうちの２ピンは送信用であり、残りの２ピンは受信用である。
【００２３】
アッテネータ１２２は、直流カット用のトランスＴを介して、アナログポート１２１の４ピン１２１２に接続されており、この４ピン１２１２に接続された通話線と送受する信号（アナログ信号）の利得を調整する。
【００２４】
ＡＤＰＣＭコーデック１２３は、例えばＩＴＵ-Ｔ勧告Ｇ．７２６に従ったＡＤＰＣＭ圧縮・伸長を行なう。すなわち、ＡＤＰＣＭコーデック１２３は、アッテネータ１２２より受け取ったアナログ信号を、ＡＤＰＣＭ符号化してデジタル信号に変換し、中継制御部１４へ渡す。また、中継制御部１４より受け取ったデジタル信号を、ＡＤＰＣＭ復号化してアナログ信号に変換し、アッテネータ１２２へ渡す。
【００２５】
ＰＢレシーバ１２４は、アナログポート１２１の４ピン１２１２のうちの受信用ピンを介して通話線より受信したアナログ信号より、ＰＢ（Push button）信号を検出し、その結果を中継制御部１４へ通知する。
【００２６】
ＰＢジェネレータ１２５は、中継制御部１４よりの指示に従いＰＢ信号を生成し、これをアナログポート１２１の４ピン１２１２のうちの送信用ピンを介して通話線へ送信する。
【００２７】
呼制御音生成部１２６は、中継制御部１４よりの指示に従い呼出し音信号やＲＢＴ（リングバックトーン）信号や第２ＤＴ（ダイヤルトーン）信号を生成し、これをアナログポート１２１の４ピン１２１２のうちの送信用ピンを介して通話線へ送信する。
【００２８】
２線式ＣＯＴＩＦ処理部１３は、２線式ＣＯＴインターフェースを採用する交換機３ａ、３ｂよりのアナログ線を物理的に接続するためのアナログポート１３１と、アッテネータ１３２と、ＡＤＰＣＭコーデック１３３と、ＰＢレシーバ１３４と、ＰＢジェネレータ１３５と、呼制御音生成部１３６と、リバーサ１３７と、ループ検出部１３８と、を有する。
【００２９】
アナログポート１３１は、２ピンコネクタである。アッテネータ１３２は、直流カット用のトランスＴを介して、アナログポート１３１に接続されており、アナログポート１３１に接続されたアナログ線と送受する信号（アナログ信号）の利得を調整する。
【００３０】
ＡＤＰＣＭコーデック１３３は、例えばＩＴＵ-Ｔ勧告Ｇ．７２６に従ったＡＤＰＣＭ圧縮・伸長を行なう。すなわち、ＡＤＰＣＭコーデック１３３は、アッテネータ１３２より受け取ったアナログ信号を、ＡＤＰＣＭ符号化してデジタル信号に変換し、中継制御部１４へ渡す。また、中継制御部１４より受け取ったデジタル信号を、ＡＤＰＣＭ復号化してアナログ信号に変換し、アッテネータ１３２へ渡す。
【００３１】
ＰＢレシーバ１３４は、アナログポート１３１を介してアナログ線より受信したアナログ信号よりＰＢ信号を検出し、その結果を中継制御部１４へ通知する。
【００３２】
ＰＢジェネレータ１３５は、中継制御部１４よりの指示に従いＰＢ信号を生成し、これをアナログポート１３１を介してアナログ線へ送信する。
【００３３】
呼制御音生成部１３６は、中継制御部１４よりの指示に従い呼出し音信号やＢＴ（ビジートーン）信号やＤＴ（ダイヤルトーン）信号を生成し、これをアナログポート１３１を介してアナログ線へ送信する。
【００３４】
リバーサ１３７は、中継制御部１４よりの指示に従い、アナログポート１３１に接続されたアナログ線の極性を反転させる。
【００３５】
ループ検出部１３８は、アナログポート１３１に接続されたアナログ線のループの開閉状態を検出して中継制御部１４へ通知する。
【００３６】
中継制御部１４には、自身のターミナルアダプタ１ａ、１ｂに接続される交換機３ａ、３ｂが採用するインターフェース（ＳＳ/ＳＲ方式の４線式ＯＤインターフェースあるいは２線式ＣＯＴインターフェース）と、信号方式（ＳＳ/ＳＲ方式の４線式ＯＤインターフェースの場合は第２ＤＴ（ダイヤルトーン）方式および接続確認方式、２線式ＣＯＴインターフェースの場合はＤＩ（ダイヤルイン）方式）との情報（接続環境情報と呼ぶ）が予め設定されている。また、中継制御部１４には、デジタル専用線４を介して、自身のターミナルアダプタ１ａ、１ｂと対向する、通信相手のターミナルアダプタ１ａ、１ｂより入手した接続環境情報が設定される。
【００３７】
中継制御部１４は、自身の接続環境情報と、通信相手の接続環境情報とに基づいて、上述の変換モードを決定する。そして、決定した変換モードに従って、上述の呼制御信号および中間信号間の変換が行なわれるように、ＳＳ/ＳＲ方式４線式ＯＤＩＦ処理部１２あるいは２線式ＣＯＴＩＦ処理部１３を制御する。これにより、ＳＳ/ＳＲ方式４線式ＯＤＩＦ処理部１２とデジタル専用線接続部１１との間、あるいは、２線式ＣＯＴＩＦ処理部１３とデジタル専用線接続部１１との間を中継する。
【００３８】
なお、本実施形態では、以下の変換モードを用意している。
【００３９】
▲１▼変換モードＡ
自身および通信相手の接続環境情報に含まれるインターフェースおよび信号方式が、共にＳＳ/ＳＲ方式４線式ＯＤインターフェース、接続確認方式である場合に適用される。
【００４０】
▲２▼変換モードＢ
自身および通信相手の接続環境情報に含まれるインターフェースおよび信号方式が共にＳＳ/ＳＲ方式４線式ＯＤインターフェース、第２ＤＴ方式である場合に適用される。
【００４１】
▲３▼変換モードＣ
自身の接続環境情報に含まれるインターフェースおよび信号方式がＳＳ/ＳＲ方式４線式ＯＤインターフェース、接続確認方式であり、通信相手の接続環境情報に含まれるインターフェースおよび通信方式が２線式ＣＯＴインターフェース、ＤＩ方式である場合に適用される。
【００４２】
▲４▼変換モードＤ
自身の接続環境情報に含まれるインターフェースおよび信号方式がＳＳ/ＳＲ方式４線式ＯＤインターフェース、第２ＤＴ方式であり、通信相手の接続環境情報に含まれるインターフェースおよび通信方式が２線式ＣＯＴインターフェース、ＤＩ方式である場合に適用される。
【００４３】
▲５▼変換モードＥ
自身の接続環境情報に含まれるインターフェースおよび通信方式が２線式ＣＯＴインターフェース、ＤＩ方式であり、通信相手の接続環境情報に含まれるインターフェースおよび信号方式がＳＳ/ＳＲ方式４線式ＯＤインターフェース、接続確認方式である場合に適用される。
【００４４】
▲６▼変換モードＦ
自身の接続環境情報に含まれるインターフェースおよび通信方式が２線式ＣＯＴインターフェース、ＤＩ方式であり、自身の接続環境情報に含まれるインターフェースおよび信号方式がＳＳ/ＳＲ方式４線式ＯＤインターフェース、第２ＤＴ方式である場合に適用される。
【００４５】
図３は、図２に示す中継制御部１４の概略図である。
【００４６】
図示するように、中継制御部１４は、ＳＳ/ＳＲ方式４線式ＯＤＩＦ処理部１２およびデジタル専用線インターフェース部１１１間の中継を行なう第１中継制御部１４１と、２線式ＣＯＴＩＦ処理部１３およびデジタル専用線インターフェース部１１１間の中継を行なう第２中継制御部１４２と、Ｂチャネルセレクト部１４３と、上述の変換モードを決定する変換モード決定部１４４と、セレクタ１４５と、を有する。
【００４７】
セレクタ１４５は、変換モード決定部１４４により決定された変換モードに従い、Ｂチャネルセレクト部１４３を、第１中継制御部１４１および第２中継制御部１４２のいずれか一方に接続する。
【００４８】
Ｂチャネルセレクト部１４３は、セレクタ１４５より出力されたデジタル信号を、ＩＳＤＮのＢ１チャネル用出力線およびＢ２チャネル用出力線のうちのいずれかに出力する。これを受けて、デジタル専用線インターフェース部１１１は、Ｂ１チャネル用出力線を介してＢチャネルセレクト部１４３より受信したデジタル信号をＢ１チャネルに格納し、端子盤１１２を介してデジタル専用線４へ送信する。また、Ｂ２チャネル用出力線を介してＢチャネルセレクト部１４３より受信したデジタル信号をＢ２チャネルに格納し、端子盤１１２を介してデジタル専用線４へ送信する。また、Ｂチャネルセレクト部１４３は、デジタル専用線インターフェース部１１１より出力されたデジタル信号を、セレクタ１４５に送信する。
【００４９】
第１中継制御部１４１は、ＳＳ信号検出部１４１１と、ＰＢ信号検出部１４１２と、上り制御情報生成部１４１３と、セレクタ１４１４と、下り制御情報生成部１４１５と、”０”挿入部１４１６と、呼制御音指示部１４１７と、ＳＲ信号生成部１４１８と、ＰＢ信号指示部１４１９と、を有する。
【００５０】
ＳＳ信号検出部１４１１は、ＳＳ/ＳＲ方式４線式ＯＤＩＦ処理部１２のアナログポート１２１に接続されているＳＳ/ＳＲ線上のＳＳ信号の変化を検出する。そして、変化を検出した場合は、上り制御情報生成部１４１３に、変化後のＳＳ/ＳＲ信号の状態を通知する。
【００５１】
ＰＢ信号検出部１４１２は、ＳＳ/ＳＲ方式４線式ＯＤＩＦ処理部１２のＰＢレシーバ１２４よりＰＢ信号を受信する。そして、ＰＢ信号を受信した場合は、上り制御情報生成部１４１３に、受信したＰＢ信号を表すダイヤルを通知する。
【００５２】
上り制御情報生成部１４１３は、変換モード決定部１４４により決定された変換モードに従い、ＳＳ信号検出部１４１１より通知されたＳＳ/ＳＲ信号の状態が示す呼制御内容を表すパターンを持つ中間信号を生成し、セレクタ１４１４に渡す。また、変換モード決定部１４４により決定された変換モードに従い、ＰＢ信号検出部１４１２より通知されたダイヤルを表すパターンを持つ中間信号を生成し、セレクタ１４１４に渡す。
【００５３】
セレクタ１４１４は、ＳＳ/ＳＲ方式４線式ＯＤＩＦ処理部１２のＡＤＰＣＭコーデック１２３より受け取ったデジタル信号を、セレクタ１４５に渡す。ただし、上り制御情報生成部１４１３より中間信号を受け取った場合は、これをデジタル信号としてセレクタ１４５に渡す。
【００５４】
下り制御情報検出部１４１５は、セレクタ１４５より出力され、ＳＳ/ＳＲ方式４線式ＯＤＩＦ処理部１２のＡＤＰＣＭコーデック１２３に入力されるデジタル信号を監視する。そして、変換モード決定部１４４により決定された変換モードに従い、デジタル信号から中間信号の検出を試みる。中間信号を検出したならば、変換モード決定部１４４により決定された変換モードと検出した中間信号が持つパターンとに基づいて決定される呼制御内容に応じた処理を行なうように、制御音指示部１４１７、ＳＲ信号生成部１４１８およびＰＢ信号指示部１４１９を制御する。
【００５５】
”０”挿入部１４１６は、下り制御情報検出部１４１５がデジタル信号から中間信号を検出した場合、デジタル信号中の中間信号を表すパターン部分のビットの全てを、例えばＩＴＵ-Ｔ勧告Ｇ．７２６に従ったＡＤＰＣＭ圧縮・伸長において、無音を示すオール”０”に変更する。これにより、中間信号がノイズとして、ＳＳ/ＳＲ方式４線式ＯＤＩＦ処理部１２および交換機３ａ、３ｂを介して接続するアナログ端末２ａ、２ｂに伝わるのを防止する。
【００５６】
呼制御音指示部１４１７は、下り制御情報検出部１４１５よりの指示に従い、ＳＳ/ＳＲ方式４線式ＯＤＩＦ処理部１２の呼制御音生成部１２６に呼出し音信号やＲＢＴ信号や第２ＤＴ信号の生成を指示する。
【００５７】
ＳＲ信号生成部１４１８は、下り制御情報検出部１４１５よりの指示に従い、ＳＳ/ＳＲ方式４線式ＯＤＩＦ処理部１２のアナログポート１２１の４ピン１２１１に接続されているＳＳ/ＳＲ線上のＳＲ信号の状態を変化させる。
【００５８】
ＰＢ信号生成部１４１９は、下り制御情報検出部１４１５よりの指示に従い、ＳＳ/ＳＲ方式４線式ＯＤＩＦ処理部１２のＰＢジェネレータ１２５にＰＢ信号の生成を指示する。
【００５９】
第２中継制御部１４２は、ループ検出部１４２１と、ＰＢ信号検出部１４２２と、上り制御情報生成部１４２３と、セレクタ１４２４と、下り制御情報生成部１４２５と、”０”挿入部１４２６と、呼制御音指示部１４２７と、リバース指示部１４２８と、ＰＢ信号指示部１４２９と、を有する。
【００６０】
ループ検出部１４２１は、２線式ＣＯＴＩＦ処理部１３のループ検出部１３８よりの信号に基づいてループ状態の変化を検出する。そして、変化を検出した場合は、上り制御情報生成部１４２３に、変化後のループ開閉状態を通知する。
【００６１】
ＰＢ信号検出部１４２２は、２線式ＣＯＴＩＦ処理部１３のＰＢレシーバ１３４よりＰＢ信号を受信する。そして、ＰＢ信号を受信した場合は、上り制御情報生成部１４２３に、受信したＰＢ信号が示すダイヤルを通知する。
【００６２】
上り制御情報生成部１４２３は、変換モード決定部１４４により決定された変換モードに従い、ループ検出部１４２１より通知されたループ開閉状態が示す呼制御内容を表すパターンを持つ中間信号を生成して、セレクタ１４２４に渡す。また、変換モード決定部１４４により決定された変換モードに従い、ＰＢ信号検出部１４２２より通知されたダイヤルを表すパターンを持つ中間信号を生成して、セレクタ１４２４に渡す。
【００６３】
セレクタ１４２４は、２線式ＣＯＴＩＦ処理部１３のＡＤＰＣＭコーデック１３３より受け取ったデジタル信号を、セレクタ１４５に渡す。ただし、上り制御情報生成部１４２３より中間信号を受け取った場合は、これをデジタル信号としてセレクタ１４５に渡す。
【００６４】
下り制御情報検出部１４２５は、セレクタ１４５より出力され、２線式ＣＯＴＩＦ処理部１３のＡＤＰＣＭコーデック１３３に入力されるデジタル信号を監視する。そして、変換モード決定部１４４により決定された変換モードに従い、デジタル信号から中間信号の検出を試みる。中間信号を検出したならば、変換モード決定部１４４により決定された変換モードと検出した中間信号が持つパターンとに基づいて決定される呼制御内容に応じた処理を行なうよう呼制御音指示部１４２７、リバース指示部１４２８およびＰＢ信号指示部１４２９を制御する。
【００６５】
”０”挿入部１４２６は、下り制御情報検出部１４２５がデジタル信号から中間信号を検出した場合、デジタル信号中の中間信号を表すパターン部分のビットの全てを、例えばＩＴＵ-Ｔ勧告Ｇ．７２６に従ったＡＤＰＣＭ圧縮・伸長において、無音を示すオール”０”に変更する。これにより、中間信号がノイズとして、２線式ＣＯＴＩＦ処理部１３および交換機３ａ、３ｂを介して接続するアナログ端末２ａ、２ｂに伝わるのを防止する。
【００６６】
呼制御音指示部１４２７は、下り制御情報検出部１４２５よりの指示に従い、２線式ＣＯＴＩＦ処理部１３の呼制御音生成部１３６に、呼出し音信号やＢＴ信号やＤＴ信号の生成を指示する。
【００６７】
リバース指示部１４２８は、下り制御情報検出部１４２５よりの指示に従い、２線式ＣＯＴＩＦ処理部１３のリバーサ１３７に、２線式ＣＯＴＩＦ処理部１３のアナログポート１３１に接続されているアナログ線の極性反転を指示する。
【００６８】
ＰＢ信号生成部１４２９は、下り制御情報検出部１４２５よりの指示に従い、２線式ＣＯＴＩＦ処理部１３のＰＢジェネレータ１３５にＰＢ信号の生成を指示する。
【００６９】
次に、以上のような構成を有する本実施形態のターミナルアダプタ１ａ、１ｂの動作について説明する。
【００７０】
まず、ターミナルアダプタ１ａ、１ｂは、初期動作時（例えば電源投入時）に変換モードの決定を行なう。図４は、変換モード決定処理の動作を説明するためのフロー図である。
【００７１】
中継制御部１４において、変換モード決定部１４４は、予め設定されている自身の接続環境情報に含まれているインターフェースに対応する中継制御部１４１、１４２とＢチャネルセレクト部１４３とを接続するように、セレクタ１４５を制御する（Ｓ１００１）。
【００７２】
それから、変換モード決定部１４４は、自身の接続環境情報を含む接続環境情報送信依頼（デジタル信号）を、自身の接続環境情報に含まれているインターフェースに対応する中継制御部１４１、１４２の上り制御情報生成部１４１３、１４２３に送信する。つまり、自身の接続環境情報に含まれているインターフェースがＳＳ/ＳＲ方式の４線式ＯＤインターフェースであるならば、接続環境情報送信依頼を第１中継制御部１４１の上り制御情報生成部１４１３に送信し、自身の接続環境情報に含まれているインターフェースが２線式ＣＯＴインターフェースであるならば、接続環境情報送信依頼を第２中継制御部１４２の上り制御情報生成部１４２３に送信する（Ｓ１００２）。
【００７３】
第１中継制御部１４１の上り制御情報生成部１４１３は、変換モード決定部１４４より受け取った接続環境情報送信依頼を、セレクタ１４１４およびセレクタ１４５を介して、Ｂチャネルセレクト部１４３へ送出する。Ｂチャネルセレクト部１４３は、この接続環境情報送信依頼をＩＳＤＮのＢ１チャネル用出力線およびＢ２チャネル用出力線のうちのいずれかに出力する。これを受けて、デジタル専用線インターフェース部１１１は、Ｂチャネルセレクト部１４３より受信した接続環境情報送信依頼をＢ１チャネルおよびＢ２チャネルのうちのいずれかに格納し、端子盤１１２を介してデジタル専用線４へ送信する。
【００７４】
同様に、第２中継制御部１４２の上り制御情報生成部１４２３は、変換モード決定部１４４より受け取った接続環境情報送信依頼を、セレクタ１４２４およびセレクタ１４５を介して、Ｂチャネルセレクト部１４３へ送出する。Ｂチャネルセレクト部１４３は、この接続環境情報送信依頼をＩＳＤＮのＢ１チャネル用出力線およびＢ２チャネル用出力線のうちのいずれかに出力する。これを受けて、デジタル専用線インターフェース部１１１は、Ｂチャネルセレクト部１４３より受信した接続環境情報送信依頼をＢ１チャネルおよびＢ２チャネルのうちのいずれかに格納し、端子盤１１２を介してデジタル専用線４へ送信する。
【００７５】
さて、通信相手が既に初期動作を行ない待機状態にあるならば、この接続環境情報送信依頼に応答して、通信相手の接続環境情報を含んだ接続環境情報返答（デジタル信号）が所定時間（タイムアウト時間）内に送られてくる（Ｓ１００３、Ｓ１００４）。この接続環境情報返答は、デジタル専用線インターフェース部１１、Ｂチャネルセレクト部１４３およびセレクタ１４５を介して、自身の接続環境情報に含まれているインターフェースに対応する中継制御部１４１、１４２に送信される。つまり、自身の接続環境情報に含まれているインターフェースがＳＳ/ＳＲ方式の４線式ＯＤインターフェースであるならば、接続環境情報返答が第１中継制御部１４１に送信され、自身の接続環境情報に含まれているインターフェースが２線式ＣＯＴインターフェースであるならば、接続環境情報返答が第２中継制御部１４２に送信される。
【００７６】
自身の接続環境情報に含まれているインターフェースに対応する中継制御部１４１、１４２の下り制御情報生成部１４１５、１４２５は、セレクタ１４５より送られてくるデジタル信号中から接続環境情報返答を検出し、これを変換モード決定部１４４へ送信する。
【００７７】
変換モード決定部１４４は、接続環境情報返答を受け取ると、この接続環境情報返答に含まれている通信相手の接続環境情報と、予め設定されている自身の接続環境情報とに基づいて、変換モードを決定する（Ｓ１００５）。そして、決定した変換モードを、自身の接続環境情報に含まれているインターフェースに対応する中継制御部１４１、１４２の上り制御情報生成部１４１３、１４２３および下り制御情報生成部１４１５、１４２５に送信する（Ｓ１００６）。
【００７８】
一方、Ｓ１００３、Ｓ１００４において、通信相手の初期動作が行なわれていない場合は、接続環境情報送信依頼に対する接続環境情報返答が所定時間内に送られてこない。この場合、変換モード決定部１４４は、自身の接続環境情報に含まれているインターフェースに対応する中継制御部１４１、１４２の下り制御情報生成部１４１５、１４２５が、セレクタ１４５より送られてくるデジタル信号中から接続環境情報送信依頼を検出し、これを変換モード決定部１４４へ送信するのを待つ（Ｓ１００７）。そして、接続環境情報送信依頼を受け取ったならば、変換モード決定部１４４は、自身の接続環境情報を含む接続環境情報返答を、自身の接続環境情報に含まれるインターフェースに対応する中継制御部１４１、１４２の上り制御情報生成部１４１３、１４２３に送信する（Ｓ１００８）。これにより、接続環境情報返答は、セレクタ１４５、Ｂチャネルセレクト部１４３およびデジタル専用線接続部１１を介して、デジタル専用線４へ送信される。
【００７９】
また、変換モード決定部１４４は、接続環境情報送信依頼に含まれている通信相手の接続環境情報と、予め設定されている自身の接続環境情報とに基づいて、変換モードを決定する（Ｓ１００５）。そして、決定した変換モードを、自身の接続環境情報に含まれているインターフェースに対応する中継制御部１４１、１４２の上り制御情報生成部１４１３、１４２３および下り制御情報生成部１４１５、１４２５に送信する（Ｓ１００６）。
【００８０】
以上のようにして、変換モードが決定されると、自身の接続環境情報に含まれているインターフェースに対応する中継制御部１４１、１４２の上り制御情報生成部１４１３、１４２３および下り制御情報生成部１４１５、１４２５は、決定された変換モードに従って、呼制御信号および中間信号間の変換処理を行なう。
【００８１】
次に、変換モードとして、変換モードＡ〜Ｄのいずれかが決定された場合、つまり、ＳＳ/ＳＲ方式４線式ＯＤＩＦ処理部１２を介して、ＳＳ/ＳＲ方式４線式ＯＤインターフェースを採用する交換機３ａ、３ｂが接続されている場合における、ターミナルアダプタ１ａ、１ｂの動作について説明する。
【００８２】
ＳＳ/ＳＲ方式４線式ＯＤＩＦ処理部１２のアナログポート１２１の４ピン１２１２に接続された通話線より送られてきたアナログ信号は、直流カット用トランスＴおよびアッテネータ１２２を介してＡＤＰＣＭコーデック１２３でＡＤＰＣＭ符号化されてデジタル信号に変換された後、中継制御部１４へ送信される。中継制御部１４において、このデジタル信号は、第１中継制御部１４１のセレクタ１４１４、セレクタ１４５およびＢチャネルセレクト部１４３を介して、デジタル専用線インターフェース部１１１へ送出される。そして、デジタル専用線インターフェース部１１１にてＩＳＤＮのＢ１チャネルおよびＢ２チャネルのいずれかに格納され、端子盤１１２を介してデジタル専用線４へ送信される。
【００８３】
ここで、第１中継制御部１４１のＳＳ信号検出部１４１１は、ＳＳ/ＳＲ方式４線式ＯＤＩＦ処理部１２のアナログポート１２１の４ピン１２１１に接続されているＳＳ/ＳＲ線を監視しており、ＳＳ/ＳＲ線上のＳＳ信号に変化が生じた場合は、変化後のＳＳ信号の状態を上り制御情報生成部１４１３に通知する。これを受けて、上り制御情報生成部１４１３は、変換モード決定部１４４により決定された変換モードに従い、ＳＳ信号検出部１４１１より通知されたＳＳ/ＳＲ信号の状態が示す呼制御内容を表すパターンを持つ中間信号を生成し、これをセレクタ１４１４を介して、ＳＳ/ＳＲ方式４線式ＯＤＩＦ処理部１２よりのデジタル信号の代わりに、セレクタ１４５へ送出する。
【００８４】
また、第１中継制御部１４１のＰＢ信号検出部１４１２は、ＳＳ/ＳＲ方式４線式ＯＤＩＦ処理部１２のＰＢレシーバ１２４を監視しており、ＰＢレシーバ１２４がＰＢ信号を検出した場合は、受信したＰＢ信号が示すダイヤルを上り制御情報生成部１４１３に通知する。これを受けて、上り制御情報生成部１４１３は、変換モード決定部１４４により決定された変換モードに従い、ＰＢ信号検出部１４１２より通知されたダイヤルを表すパターンを持つ中間信号を生成し、これをセレクタ１４１４を介して、ＳＳ/ＳＲ方式４線式ＯＤＩＦ処理部１２よりのデジタル信号の代わりに、セレクタ１４５へ送出する。
【００８５】
以上により、ＳＳ/ＳＲ方式４線式ＯＤＩＦ処理部１２に接続されたアナログ線より送られてきたＳＳ信号やＰＢ信号に応じた呼制御内容が、デジタル通話信号が取り得ないパターンを持つ中間信号としてデジタル専用線４へ中継される。
【００８６】
また、デジタル専用線接続部１１の端子盤１１２に接続されたデジタル専用線４より送られてきたデジタル信号が、デジタル専用線インターフェース部１１１にてＩＳＤＮのＢ１チャネルおよびＢ２チャネルのいずれかから抽出される。それから、中継制御部１４のＢチャネルセレクト部１４３およびセレクタ１４５を介して、ＳＳ/ＳＲ方式４線式ＯＤＩＦ処理部１２へ送信される。ＳＳ/ＳＲ方式４線式ＯＤＩＦ処理部１２は、中継制御部１４より送られてきたデジタル信号を、ＡＤＰＣＭコーデック１２３にてＡＤＰＣＭ復号化し、アナログ信号に変換した後、アッテネータ１２２および直流カット用トランスＴを介して、アナログポート１２１の４ピン１２１２に接続されている通話線から送信する。
【００８７】
ここで、中継制御部１４の第１中継制御部１４１の下り制御情報検出部１４１５は、セレクタ１４５からＳＳ/ＳＲ方式４線式ＯＤＩＦ処理部１２へ伝送されるデジタル信号中に含まれる中間信号を監視する。そして、中間信号を検出した場合は、変換モード決定部１４４により決定された変換モードと検出した中間信号が持つパターンとに基づいて決定される呼制御内容に応じた処理を行なうように、呼制御音指示部１４１７、ＳＲ信号生成部１４１８およびＰＢ信号指示部１４１９を制御する。
【００８８】
例えば、ＳＲ信号生成部１４１８を制御して、ＳＳ/ＳＲ方式４線式ＯＤＩＦ処理部１２のアナログポート１２１の４ピン１２１１に接続されているＳＳ/ＳＲ線上のＳＲ信号を、呼制御内容が示すＳＲ信号の状態に変化させる。あるいは、ＰＢ信号指示部１４１９を制御して、ＳＳ/ＳＲ方式４線式ＯＤＩＦ処理部１２のＰＢジェネレータ１２５に、呼制御内容が示すダイヤルを表すＰＢ信号を生成させ、このＰＢ信号を、ＳＳ/ＳＲ方式４線式ＯＤＩＦ処理部１２のアナログポート１２１の４ピン１２１２に接続されている通話線へ送信させる。あるいは、呼制御音指示部１４１７を制御して、ＳＳ/ＳＲ方式４線式ＯＤＩＦ処理部１２の呼制御音生成部１２６に、呼制御内容が示す呼出し音信号やＲＢＴ信号や第２ＤＴ信号を生成させ、これらの信号を、ＳＳ/ＳＲ方式４線式ＯＤＩＦ処理部１２のアナログポート１２１の４ピン１２１２に接続されている通話線へ送信させる。
【００８９】
ここで、下り制御情報検出部１４１５は、デジタル信号から中間信号を検出した場合、”０”挿入部１４１６を制御して、このデジタル信号上の中間信号のパターンを示す部分の各ビット値を全て”０”に置き換える。
【００９０】
以上により、デジタル専用線４より送られてきた中間信号は、その中間信号が示す呼制御内容に応じてＳＲ信号やＰＢ信号や呼出し音信号やＲＢＴ信号や第２ＤＴ信号に変換され、ＳＳ/ＳＲ方式４線式ＯＤＩＦ処理部１２に接続されているアナログ線へ中継される。
【００９１】
次に、変換モードとして、変換モードＥ、Ｆのいずれかが決定された場合、つまり、２線式ＣＯＴＩＦ処理部１３を介して、２線式ＣＯＴインターフェースを採用する交換機３ａ、３ｂが接続されている場合における、ターミナルアダプタ１ａ、１ｂの動作について説明する。
【００９２】
２線式ＣＯＴＩＦ処理部１３のアナログポート１３１に接続されたアナログ線より送られてきたアナログ信号は、直流カット用トランスＴおよびアッテネータ１３２を介してＡＤＰＣＭコーデック１３３でＡＤＰＣＭ符号化されてデジタル信号に変換された後、中継制御部１４へ送信される。中継制御部１４において、このデジタル信号は、第２中継制御部１４１のセレクタ１４２４、セレクタ１４５およびＢチャネルセレクト部１４３を介して、デジタル専用線インターフェース部１１１へ送出される。そして、デジタル専用線インターフェース部１１１にてＩＳＤＮのＢ１チャネルおよびＢ２チャネルのいずれかに格納され、端子盤１１２を介してデジタル専用線４へ送信される。
【００９３】
ここで、第２中継制御部１４１のループ検出部１４２１は、２線式ＣＯＴＩＦ処理部１３のループ検出部１３８を監視しており、ループ検出部１３８がループ開閉状態の変化を検出した場合は、変化後のループ開閉状態を上り制御情報生成部１４２３に通知する。これを受けて、上り制御情報生成部１４２３は、変換モード決定部１４４により決定された変換モードに従い、ループ検出部１３８より通知されたループ開閉状態が示す呼制御内容を表すパターンを持つ中間信号を生成し、これをセレクタ１４２４を介して、２線式ＣＯＴＩＦ処理部１３よりのデジタル信号の代わりに、セレクタ１４５へ送出する。
【００９４】
また、第１中継制御部１４２のＰＢ信号検出部１４２２は、２線式ＣＯＴＩＦ処理部１３のＰＢレシーバ１３４を監視しており、ＰＢレシーバ１３４がＰＢ信号を検出した場合は、受信したＰＢ信号が示すダイヤルを上り制御情報生成部１４２３に通知する。これを受けて、上り制御情報生成部１４２３は、変換モード決定部１４４により決定された変換モードに従い、ＰＢ信号検出部１４２２より通知されたダイヤルを表すパターンを持つ中間信号を生成し、これをセレクタ１４２４を介して、２線式ＣＯＴＩＦ処理部１３よりのデジタル信号の代わりに、セレクタ１４５へ送出する。
【００９５】
以上により、２線式ＣＯＴＩＦ処理部１３に接続されたアナログ線より送られてきたＰＢ信号やアナログ線のループ開閉状態に応じた呼制御内容が、デジタル通話信号が取り得ないパターンを持つ中間信号として、デジタル専用線４へ中継される。
【００９６】
また、デジタル専用線接続部１１の端子盤１１２に接続されたデジタル専用線４より送られてきたデジタル信号が、デジタル専用線インターフェース部１１１にてＩＳＤＮのＢ１チャネルおよびＢ２チャネルのいずれかから抽出される。それから、中継制御部１４のＢチャネルセレクト部１４３およびセレクタ１４５を介して、２線式ＣＯＴＩＦ処理部１３へ送信される。２線式ＣＯＴＩＦ処理部１３は、中継制御部１４より送られてきたデジタル信号を、ＡＤＰＣＭコーデック１３３にてＡＤＰＣＭ復号化し、アナログ信号に変換した後、アッテネータ１３２および直流カット用トランスＴを介して、アナログポート１３１に接続されているアナログ線から送信する。
【００９７】
ここで、中継制御部１４の第２中継制御部１４２の下り制御情報検出部１４２５は、セレクタ１４５から２線式ＣＯＴＩＦ処理部１３へ伝送されるデジタル信号中に含まれる中間信号を監視する。そして、中間信号を検出した場合は、変換モード決定部１４４により決定された変換モードと検出した中間信号が持つパターンとに基づいて決定される呼制御内容に応じた処理を行なうように、呼制御音指示部１４２７、リバース指示部１４２８およびＰＢ信号指示部１４２９を制御する。
【００９８】
例えば、リバース指示部１４２８を制御して、２線式ＣＯＴＩＦ処理部１３のリバーサ１３７に、２線式ＣＯＴＩＦ処理部１３のアナログポート１３１に接続されているアナログ線の極性を反転させる。あるいは、ＰＢ信号指示部１４２９を制御して、２線式ＣＯＴＩＦ処理部１３のＰＢジェネレータ１３５に、呼制御内容が示すダイヤルを表すＰＢ信号を生成させ、このＰＢ信号を、２線式ＣＯＴＩＦ処理部１３のアナログポート１３１に接続されているアナログ線へ送信させる。あるいは、呼制御音指示部１４２７を制御して、２線式ＣＯＴＩＦ処理部１３の呼制御音生成部１３６に、呼制御内容が示す呼出し音信号、ＢＴ信号あるいはＤＴ信号を生成させ、この呼出し音信号、ＢＴ信号あるいはＤＴ信号を、２線式ＣＯＴＩＦ処理部１３のアナログポート１３１に接続されているアナログ線へ送信させる。
【００９９】
ここで、下り制御情報検出部１４２５は、デジタル信号から中間信号を検出した場合、”０”挿入部１４２６を制御して、このデジタル信号上の中間信号のパターンを示す部分の各ビット値を全て”０”に置き換える。
【０１００】
以上により、デジタル専用線４より送られてきた中間信号は、その中間信号が示す呼制御内容に応じてアナログ線の極性反転やＰＢ信号や呼出し音信号やＢＴ信号やＤＴ信号に変換され、２線式ＣＯＴＩＦ処理部１３に接続されているアナログ線へ中継される。
【０１０１】
次に、図１に示す、本実施形態のターミナルアダプタ１ａ、１ｂを用いて構築された通信システムの通信手順について説明する。
【０１０２】
先ず、ターミナルアダプタ１ａの変換モードが変換モードＡの場合（この場合、ターミナルアダプタ１ｂの変換モードも変換モードＡとなる）の通信手順について説明する。
【０１０３】
図５に、図１に示す通信システムにおいて、ターミナルアダプタ１ａの変換モードが変換モードＡであり、且つ、ターミナルアダプタ１ａ側のアナログ端末２ａが発呼した場合の通信手順を示す。
【０１０４】
図５において、ターミナルアダプタ１ａ、１ｂは、デジタル専用線４を介して、互いに、常時、解放パターンの中間信号を送受信している。この中間信号により、ターミナルアダプタ１ａ、１ｂは、自身に接続されている交換機３ａ、３ｂへのパスを解放する。これにより、交換機３ａ、３ｂ間が解放された状態になる（Ｓ５００１）。
【０１０５】
さて、この状態において、アナログ端末１ａがオフフックされると（Ｓ５００２）、交換機３ａは、ＤＴ（ダイヤルトーン）をアナログ端末１ａに返す（Ｓ５００３）。次に、交換機３ａは、アナログ端末１ａから特殊番号および内線番号からなるダイヤル情報を受信すると（Ｓ５００４）、内線番号を保持すると共に、ＳＳ信号をオンにする（Ｓ５００５）。これを受けて、ターミナルアダプタ１ａは、発信を表すパターンを持つ中間信号を送信する（Ｓ５００６）。この中間信号は、デジタル専用線４を介して、ターミナルアダプタ１ｂへ送信される。そして、ターミナルアダプタ１ｂは、この中間信号を受け取ると、交換機３ｂへのＳＲ信号をオフからオンへ切替える（Ｓ５００７）。
【０１０６】
交換機３ｂは、ＳＲ信号がオフからオンに切替わると、ＳＳ信号を所定時間（例えば２００ｍｓ）オンにする（Ｓ５００８）。これを受けて、ターミナルアダプタ１ｂは、１次応答を表すパターンを持つ中間信号を送信する（Ｓ５００９）。この中間信号は、デジタル専用線４を介して、ターミナルアダプタ１ａへ送信される。そして、ターミナルアダプタ１ａは、この中間信号を受け取ると、交換機３ａへのＳＲ信号を前記所定時間オンにする（Ｓ５０１０）。
【０１０７】
交換機３ａは、ＳＲ信号の前記所定時間オンを検出すると、Ｓ５００５で保持しておいた内線番号を表すＰＢ信号列を送出する（Ｓ５０１１）。ターミナルアダプタ１ａは、ＰＢ信号列を構成するＰＢ信号を順番に検出し、各ＰＢ信号が示すダイヤルを表すパターンを持つ中間信号を順番に送信する（Ｓ５０１２）。これらの中間信号は、デジタル専用線４を介して、ターミナルアダプタ１ｂへ送信される。そして、ターミナルアダプタ１ｂは、これらの中間信号を受信すると、これらの中間信号から内線番号を特定し、内線番号を構成するＰＢ信号列を交換機３ｂに送出する（Ｓ５０１３）。ここで、内線番号の交換機３ｂへの通知に、必ずしも元のＰＢ信号を用いる必要はなく、例えばＯＤ信号を用いるようにしてもよい。
【０１０８】
交換機３ｂは、ターミナルアダプタ１ｂより内線番号を受け取ると、この内線番号により特定されるアナログ端末２ｂを呼び出す（Ｓ５０１４）。また、交換機３ｂは、ＲＢＴ（リングバックトーン）を送信する。このＲＢＴは、ターミナルアダプタ１ｂ、デジタル専用線４、ターミナルアダプタ１ａおよび交換機３ａを介して、オフフックしたアナログ端末２ａへ送信される（Ｓ５０１５）。
【０１０９】
さて、呼び出されたアナログ端末２ｂがオフフックされると（Ｓ５０１６）、交換機３ｂは、呼び出しを停止してＳＳ信号をオンにする（Ｓ５０１７）。これを受けて、ターミナルアダプタ１ｂは、応答を表すパターンを持つ中間信号を送信する（Ｓ５０１８）。この中間信号は、デジタル専用線４を介して、ターミナルアダプタ１ａへ送信される。そして、ターミナルアダプタ１ａは、この中間信号を受け取ると、交換機３ａへのＳＲ信号をオフからオンに切替える（Ｓ５０１９）。これにより、アナログ端末２ａおよびアナログ端末２ｂ間の通話パスが確立され、通話が可能となる（Ｓ５０２０）。
【０１１０】
次に、通話が終了し、アナログ端末２ａがオンフックされると（Ｓ５０２１）、交換機２ａはＳＳ信号をオフとする（Ｓ５０２２）。これを受けて、ターミナルアダプタ１ａは、切断を表すパターンを持つ中間信号を送信する（Ｓ５０２３）。この中間信号は、デジタル専用線４を介して、ターミナルアダプタ１ｂへ送信される。そして、ターミナルアダプタ１ｂは、この中間信号を受け取ると、交換機３ｂへのＳＲ信号をオンからオフに切替える（Ｓ５０２４）。
【０１１１】
交換機３ｂは、ＳＲ信号がオンからオフに切替えられると、アナログ端末２ｂへ切断信号を送出し（Ｓ５０２５）、その後、ＢＴ信号を送出する（Ｓ５０２６）。そして、アナログ端末２ｂがオフフックされると（Ｓ５０２７）、ＳＳ信号をオフとする（Ｓ５０２８）。これを受けて、ターミナルアダプタ１ｂは、解放を表すパターンを持つ中間信号を送信する（Ｓ５０２９）。この中間信号は、デジタル専用線４を介して、ターミナルアダプタ１ａへ送信される。そして、ターミナルアダプタ１ａは、この中間信号を受け取ると、交換機３ａへのＳＲ信号をオンからオフに切替える（Ｓ５０３０）。
【０１１２】
以上により、ターミナルアダプタ１ａ、１ｂ共に待機状態となり、ターミナルアダプタ１ａ、１ｂは、デジタル専用線４を介して、常時、解放を表すパターンデータを持つ中間信号を送受信し合う（Ｓ５０３１）。
【０１１３】
次に、ターミナルアダプタ１ａの変換モードが変換モードＢの場合（この場合、ターミナルアダプタ１ｂの変換モードも変換モードＢとなる）の通信手順について説明する。
【０１１４】
図６に、図１に示す通信システムにおいて、ターミナルアダプタ１ａの変換モードが変換モードＢであり、且つ、ターミナルアダプタ１ａ側のアナログ端末２ａが発呼した場合の通信手順を示す。
【０１１５】
図６において、ターミナルアダプタ１ａ、１ｂは、デジタル専用線４を介して、互いに、常時、解放パターンの中間信号を送受信している。この中間信号により、ターミナルアダプタ１ａ、１ｂは、自身に接続されている交換機３ａ、３ｂへのパスを解放する。これにより、交換機３ａ、３ｂ間が解放された状態になる（Ｓ６００１）。
【０１１６】
さて、この状態において、アナログ端末１ａがオフフックされると（Ｓ６００２）、交換機３ａは、ＤＴをアナログ端末１ａに返す（Ｓ６００３）。次に、交換機３ａは、アナログ端末１ａから特殊番号のダイヤル情報を受信すると（Ｓ６００４）、ＳＳ信号をオンにする（Ｓ６００５）。これを受けて、ターミナルアダプタ１ａは、発信を表すパターンを持つ中間信号を送信する（Ｓ６００６）。この中間信号は、デジタル専用線４を介して、ターミナルアダプタ１ｂへ送信される。そして、ターミナルアダプタ１ｂは、この中間信号を受け取ると、交換機３ｂへのＳＲ信号をオフからオンへ切替える（Ｓ６００７）。
【０１１７】
交換機３ｂは、ＳＲ信号がオフからオンに切替わると、第２ＤＴをターミナルアダプタ１ｂを送信する。この第２ＤＴは、ターミナルアダプタ１ｂ、デジタル専用線４、ターミナルアダプタ１ａおよび交換機３ａを介して、オフフックしたアナログ端末２ａへ送信される（Ｓ６００８）。
【０１１８】
次に、交換機３ａは、アナログ端末１ａから内線番号のダイヤル情報を受信すると、この内線番号を表すＰＢ信号列を送出する（Ｓ６００９）。ターミナルアダプタ１ａは、ＰＢ信号列を構成するＰＢ信号を順番に検出し、各ＰＢ信号が示すダイヤルを表すパターンを持つ中間信号を順番に送信する（Ｓ６０１０）。これらの中間信号は、デジタル専用線４を介して、ターミナルアダプタ１ｂへ送信される。そして、ターミナルアダプタ１ｂは、これらの中間信号を受信すると、これらの中間信号から内線番号を特定し、内線番号を構成するＰＢ信号列を交換機３ｂに送出する（Ｓ６０１１）。以降の処理Ｓ６０１２〜Ｓ６０２９は、図５に示すＳ５０１４〜Ｓ５０３１と同様である。
【０１１９】
次に、ターミナルアダプタ１ａの変換モードが変換モードＣの場合（この場合、ターミナルアダプタ１ｂの変換モードは変換モードＥとなる）の通信手順について説明する。
【０１２０】
図７に、図１に示す通信システムにおいて、ターミナルアダプタ１ａの変換モードが変換モードＣであり、且つ、ターミナルアダプタ１ａ側のアナログ端末２ａが発呼した場合の通信手順を示す。
【０１２１】
図７において、ターミナルアダプタ１ａ、１ｂは、デジタル専用線４を介して、互いに、常時、解放パターンの中間信号を送受信している。この中間信号により、ターミナルアダプタ１ａ、１ｂは、自身に接続されている交換機３ａ、３ｂへのパスを解放する。これにより、交換機３ａ、３ｂ間が解放された状態になる（Ｓ７００１）。
【０１２２】
さて、この状態において、アナログ端末１ａがオフフックされると（Ｓ７００２）、交換機３ａは、ＤＴをアナログ端末１ａに返す（Ｓ７００３）。次に、交換機３ａは、アナログ端末１ａから特殊番号および内線番号からなるダイヤル情報を受信すると（Ｓ７００４）、内線番号を保持すると共に、ＳＳ信号をオンにする（Ｓ７００５）。これを受けて、ターミナルアダプタ１ａは、発信を表すパターンを持つ中間信号を送信する（Ｓ７００６）。この中間信号は、デジタル専用線４を介して、ターミナルアダプタ１ｂへ送信される。そして、ターミナルアダプタ１ｂは、この中間信号を受け取ると、交換機３ｂへのアナログ線の極性を反転（リバース）すると共に、呼出し音信号を交換機３ｂへ送出する（Ｓ７００７）。
【０１２３】
交換機３ｂは、ターミナルアダプタ１ｂよりのアナログ線の極性反転および呼出し音信号を検出すると、ループを閉成する（Ｓ７００８）。これを受けて、ターミナルアダプタ１ｂは、１次応答を表すパターンを持つ中間信号を送信する（Ｓ７００９）。この中間信号は、デジタル専用線４を介して、ターミナルアダプタ１ａへ送信される。ターミナルアダプタ１ａは、この中間信号を受け取ると、交換機３ａへのＳＲ信号を所定時間（例えば２００ｍｓ）オンにする（Ｓ７０１０）。
【０１２４】
交換機３ａは、ＳＲ信号の前記所定時間オンを検出すると、Ｓ７００５で保持しておいた内線番号を表すＰＢ信号列を送出する（Ｓ７０１１）。ターミナルアダプタ１ａは、ＰＢ信号列を構成するＰＢ信号を順番に検出し、各ＰＢ信号が示すダイヤルを表すパターンを持つ中間信号を順番に送信する（Ｓ７０１２）。これらの中間信号は、デジタル専用線４を介して、ターミナルアダプタ１ｂへ送信される。
【０１２５】
ターミナルアダプタ１ｂは、これらの中間信号を受信すると、これらの中間信号から内線番号を特定し、内線番号を構成するＰＢ信号列を交換機３ｂに送出する（Ｓ７０１３）。交換機３ｂは、ターミナルアダプタ１ｂより内線番号を受け取ると、この内線番号により特定されるアナログ端末２ｂを呼び出すと共に、ループを解放する（Ｓ７０１４）。Ｓ７００８でのループ閉成およびＳ７０１４でのループ解放が、ＤＩ方式におけるループの一時的な閉成に相当する。
【０１２６】
ターミナルアダプタ１ｂは、ループが解放されると、ＲＢＴを表す中間信号をデジタル専用線４へ送出する（Ｓ７０１５）。ターミナルアダプタ１ａは、この中間信号を受信すると、ＲＢＴを交換機３ａへ送出する。このＲＢＴは、交換機３ａを介して、オフフックしたアナログ端末２ａへ送信される（Ｓ７０１６）。
【０１２７】
さて、呼び出されたアナログ端末２ｂがオフフックされると（Ｓ７０１７）、交換機３ｂは、呼び出しを停止して、アナログ線の極性をノーマルに戻すと共に、ループを閉成する（Ｓ７０１８）。これを受けて、ターミナルアダプタ１ｂは、応答を表すパターンを持つ中間信号を送信する（Ｓ７０１９）。この中間信号は、デジタル専用線４を介して、ターミナルアダプタ１ａへ送信される。そして、ターミナルアダプタ１ａは、この中間信号を受け取ると、交換機３ａへのＳＲ信号をオフからオンに切替える（Ｓ７０２０）。これにより、アナログ端末２ａおよびアナログ端末２ｂ間の通話パスが確立され、通話が可能となる（Ｓ７０２１）。
【０１２８】
次に、通話が終了し、アナログ端末２ａがオンフックされると（Ｓ７０２２）、交換機２ａはＳＳ信号をオフとする（Ｓ７０２３）。これを受けて、ターミナルアダプタ１ａは、切断を表すパターンを持つ中間信号を送信する（Ｓ７０２４）。この中間信号は、デジタル専用線４を介して、ターミナルアダプタ１ｂへ送信される。そして、ターミナルアダプタ１ｂは、この中間信号を受け取ると、ＢＴ信号を交換機３ｂへ送出する。このＢＴ信号は、交換機３ｂを介して、アナログ端末２ｂへ送信される（Ｓ７０２５）。
【０１２９】
それから、アナログ端末２ｂがオフフックされると（Ｓ７０２６）、交換機３ｂは、ループを解放する（Ｓ７０２７）。これを受けて、ターミナルアダプタ１ｂは、解放を表すパターンを持つ中間信号を送信する（Ｓ７０２８）。この中間信号は、デジタル専用線４を介して、ターミナルアダプタ１ａへ送信される。そして、ターミナルアダプタ１ａは、この中間信号を受け取ると、交換機３ａへのＳＲ信号をオンからオフに切替える（Ｓ７０２９）。
【０１３０】
以上により、ターミナルアダプタ１ａ、１ｂ共に待機状態となり、ターミナルアダプタ１ａ、１ｂは、デジタル専用線４を介して、常時、解放を表すパターンデータを持つ中間信号を送受信し合う（Ｓ７０３０）。
【０１３１】
図８に、図１に示す通信システムにおいて、ターミナルアダプタ１ａの変換モードが変換モードＣであり、且つ、ターミナルアダプタ１ｂ側のアナログ端末２ｂが発呼した場合の通信手順を示す。
【０１３２】
図８において、ターミナルアダプタ１ａ、１ｂは、デジタル専用線４を介して、互いに、常時、解放パターンの中間信号を送受信している。この中間信号により、ターミナルアダプタ１ａ、１ｂは、自身に接続されている交換機３ａ、３ｂへのパスを解放する。これにより、交換機３ａ、３ｂ間が解放された状態になる（Ｓ８００１）。
【０１３３】
さて、この状態において、アナログ端末１ｂがオフフックされると（Ｓ８００２）、交換機３ｂは、ＤＴをアナログ端末１ｂに返す（Ｓ８００３）。次に、交換機３ｂは、アナログ端末１ｂから特殊番号のダイヤル情報を受信すると（Ｓ８００４）、ループを閉成する（Ｓ８００５）。ターミナルアダプタ１ｂは、ループ閉成を検出すると、発信を表すパターンを持つ中間信号を送信する（Ｓ８００６）。この中間信号は、デジタル専用線４を介して、ターミナルアダプタ１ａへ送信される。そして、ターミナルアダプタ１ａは、この中間信号を受け取ると、交換機３ａへＳＲ信号をオンにする（Ｓ８００７）。
【０１３４】
交換機３ａは、ＳＲ信号がオフからオンに切り替わると、ＳＳ信号を所定時間（例えば２００ｍｓ）オンにする（Ｓ８００８）。これを受けて、ターミナルアダプタ１ａは、１次応答を表すパターンを持つ中間信号を送信する（Ｓ８００９）。この中間信号は、デジタル専用線４を介して、ターミナルアダプタ１ｂへ送信される。ターミナルアダプタ１ｂは、この中間信号を受け取ると、ＤＴを送出する。このＤＴは、交換機３ｂを介して、オフフックしたアナログ端末２ｂへ送信される（Ｓ８０１０）。
【０１３５】
ターミナルアダプタ１ｂは、交換機３ｂを介して、アナログ端末１ｂから特殊番号を表すＰＢ信号列を受信すると（Ｓ８０１１）。このＰＢ信号列を構成する各ＰＢ信号が示すダイヤルを表すパターンを持つ中間信号を順番に送信する（Ｓ８０１２）。これらの中間信号は、デジタル専用線４を介して、ターミナルアダプタ１ａへ送信される。
【０１３６】
ターミナルアダプタ１ａは、これらの中間信号を受信すると、これらの中間信号から内線番号を特定し、内線番号を構成するＰＢ信号列を交換機３ａに送出する（Ｓ８０１３）。交換機３ａは、ターミナルアダプタ１ａより内線番号を受け取ると、この内線番号により特定されるアナログ端末２ａを呼び出す（Ｓ８０１４）。また、交換機３ａはＲＢＴを送出する。このＲＢＴは、ターミナルアダプタ１ａ、デジタル専用線４、ターミナルアダプタ１ｂおよび交換機３ｂを介して、オフフックしたアナログ端末２ｂへ送信される（Ｓ８０１５）。
【０１３７】
さて、呼び出されたアナログ端末２ａがオフフックされると（Ｓ８０１６）、交換機３ａは、呼び出しを停止してＳＳ信号をオンにする（Ｓ８０１７）。これを受けて、ターミナルアダプタ１ａは、応答を表すパターンを持つ中間信号を送信する（Ｓ８０１８）。この中間信号は、デジタル専用線４を介して、ターミナルアダプタ１ｂへ送信される。そして、ターミナルアダプタ１ｂは、この中間信号を受け取ると、交換機３ａへのアナログ線の極性を反転（リバース）する（Ｓ８０１９）。これにより、アナログ端末２ａおよびアナログ端末２ｂ間の通話パスが確立され、通話が可能となる（Ｓ８０２０）。
【０１３８】
次に、通話が終了し、アナログ端末２ｂがオンフックされると（Ｓ８０２１）、交換機２ｂはループを解放する（Ｓ８０２２）。ターミナルアダプタ１ｂは、ループ解放を検知すると、切断を表すパターンを持つ中間信号を送信する（Ｓ８０２３）。この中間信号は、デジタル専用線４を介して、ターミナルアダプタ１ａへ送信される。そして、ターミナルアダプタ１ａは、この中間信号を受け取ると、ＳＲ信号をオフにする（Ｓ８０２４）。これにより、交換機３ａは、ＢＴをアナログ端末２ａへ送信する（Ｓ８０２５）。
【０１３９】
それから、アナログ端末２ａがオフフックされると（Ｓ８０２６）、交換機３ａは、ＳＳ信号をオフにする（Ｓ８０２７）。これを受けて、ターミナルアダプタ１ａは、解放を表すパターンを持つ中間信号を送信する（Ｓ８０２８）。この中間信号は、デジタル専用線４を介してターミナルアダプタ１ｂへ送信される。
【０１４０】
以上により、ターミナルアダプタ１ａ、１ｂ共に待機状態となり、ターミナルアダプタ１ａ、１ｂは、デジタル専用線４を介して、常時、解放を表すパターンデータを持つ中間信号を送受信し合う（Ｓ８０２９）。
【０１４１】
次に、ターミナルアダプタ１ａの変換モードが変換モードＤの場合（この場合、ターミナルアダプタ１ｂの変換モードは変換モードＦとなる）の通信手順について説明する。
【０１４２】
図９に、図１に示す通信システムにおいて、ターミナルアダプタ１ａの変換モードが変換モードＤであり、且つ、ターミナルアダプタ１ａ側のアナログ端末２ａが発呼した場合の通信手順を示す。
【０１４３】
図９において、ターミナルアダプタ１ａ、１ｂは、デジタル専用線４を介して、互いに、常時、解放パターンの中間信号を送受信している。この中間信号により、ターミナルアダプタ１ａ、１ｂは、自身に接続されている交換機３ａ、３ｂへのパスを解放する。これにより、交換機３ａ、３ｂ間が解放された状態になる（Ｓ９００１）。
【０１４４】
さて、この状態において、アナログ端末１ａがオフフックされると（Ｓ９００２）、交換機３ａは、ＤＴをアナログ端末１ａに返す（Ｓ９００３）。次に、交換機３ａは、アナログ端末１ａから特殊番号のダイヤル情報を受信すると（Ｓ９００４）、ＳＳ信号をオンにする（Ｓ９００５）。これを受けて、ターミナルアダプタ１ａは、発信を表すパターンを持つ中間信号を送信する（Ｓ９００６）。この中間信号は、デジタル専用線４を介して、ターミナルアダプタ１ｂへ送信される。そして、ターミナルアダプタ１ｂは、この中間信号を受け取ると、交換機３ｂへのアナログ線の極性を反転（リバース）すると共に、呼出し音信号を交換機３ｂへ送出する（Ｓ９００７）。
【０１４５】
交換機３ｂは、ターミナルアダプタ１ｂよりのアナログ線の極性反転および呼出し音信号を検出すると、ループを閉成する（Ｓ９００８）。これを受けて、ターミナルアダプタ１ｂは、１次応答を表すパターンを持つ中間信号を送信する（Ｓ９００９）。この中間信号は、デジタル専用線４を介して、ターミナルアダプタ１ａへ送信される。ターミナルアダプタ１ａは、この中間信号を受け取ると、第２ＤＴを交換機３ａへ送信する。この第２ＤＴは、交換機３ａを介して、オフフックされたアナログ端末１ａへ送信される（Ｓ９０１０）。
【０１４６】
次に、交換機３ａは、アナログ端末１ａから内線番号のダイヤル情報を受信すると、この内線番号を表すＰＢ信号列を送出する（Ｓ９０１１）。ターミナルアダプタ１ａは、ＰＢ信号列を構成するＰＢ信号を順番に検出し、各ＰＢ信号が示すダイヤルを表すパターンを持つ中間信号を順番に送信する（Ｓ９０１２）。これらの中間信号は、デジタル専用線４を介して、ターミナルアダプタ１ｂへ送信される。そして、ターミナルアダプタ１ｂは、これらの中間信号を受信すると、これらの中間信号から内線番号を特定し、内線番号を構成するＰＢ信号列を交換機３ｂに送出する（Ｓ９０１３）。交換機３ｂは、ターミナルアダプタ１ｂより内線番号を受け取ると、この内線番号により特定されるアナログ端末２ｂを呼び出すと共に、ループを解放する（Ｓ９０１４）。Ｓ９００８でのループ閉成およびＳ９０１４でのループ解放が、ＤＩ方式におけるループの一時的な閉成に相当する。以降の処理Ｓ９０１５〜Ｓ９０３０は、図７に示すＳ７０１５〜Ｓ７０３０と同様である。
【０１４７】
図１０に、図１に示す通信システムにおいて、ターミナルアダプタ１ａの変換モードが変換モードＤであり、且つ、ターミナルアダプタ１ｂ側のアナログ端末２ｂが発呼した場合の通信手順を示す。
【０１４８】
図１０において、ターミナルアダプタ１ａ、１ｂは、デジタル専用線４を介して、互いに、常時、解放パターンの中間信号を送受信している。この中間信号により、ターミナルアダプタ１ａ、１ｂは、自身に接続されている交換機３ａ、３ｂへのパスを解放する。これにより、交換機３ａ、３ｂ間が解放された状態になる（Ｓ１００１）。
【０１４９】
さて、この状態において、アナログ端末１ｂがオフフックされると（Ｓ１００２）、交換機３ｂは、ＤＴをアナログ端末１ｂに返す（Ｓ１００３）。次に、交換機３ｂは、アナログ端末１ｂから特殊番号のダイヤル情報を受信すると（Ｓ１００４）、ループを閉成する（Ｓ１００５）。ターミナルアダプタ１ｂは、ループ閉成を検出すると、発信を表すパターンを持つ中間信号を送信する（Ｓ１００６）。この中間信号は、デジタル専用線４を介して、ターミナルアダプタ１ａへ送信される。そして、ターミナルアダプタ１ａは、この中間信号を受け取ると、交換機３ａへのＳＲ信号をオンにする（Ｓ１００７）。
【０１５０】
交換機３ａは、ＳＲ信号がオフからオンに切り替わると、第２ＤＴを送出する。この第２ＤＴは、ターミナルアダプタ１ａ、デジタル専用線４、ターミナルアダプタ１ｂおよび交換機３ｂを介して、アナログ端末１ｂに送信される（Ｓ１００８）。以降の処理Ｓ１００９〜Ｓ１０２７は、図８に示すＳ８０１１〜Ｓ８０２９と同様である。
【０１５１】
以上、本発明の一実施形態について説明した。
【０１５２】
本実施形態のターミナルアダプタ１ａ、１ｂは、自身に接続された交換機３ａ、３ｂのインターフェースおよび信号方式と、デジタル専用線４を介して対向するターミナルアダプタ１ａ、１ｂに接続された交換機３ａ、３ｂのインターフェースおよび信号方式に従って、呼制御信号およびデジタル専用線４上の通話信号が取り得ないパターンを持つ中間信号の変換モードを決定する。そして、決定された変換モードに従い、呼制御信号と中間信号との変換処理を行なうことで、デジタル専用線４および交換機３ａ、３ｂ間における呼制御信号の中継を行なう。
【０１５３】
したがって、自身に接続された交換機３ａ、３ｂのインターフェースおよび信号方式と、デジタル専用線４を介して対向する通信相手のターミナルアダプタ１ａ、１ｂに接続された交換機３ａ、３ｂのインターフェースおよび信号方式との組合わせに応じて、通信相手が送出する中間信号を、この中間信号の元となった、通信相手に接続されている交換機３ａ、３ｂよりの呼制御信号が示す呼制御内容に対応した呼制御信号へ変換するように、変換モードを予め用意しておくことにより、自身に接続された交換機３ａ、３ｂのインターフェースおよび信号方式がデジタル専用線４を介して対向する通信相手に接続された交換機３ａ、３ｂのインターフェースおよび信号方式と異なる場合でも、この２つの交換機間での呼制御信号のやり取りを可能とすることができる。
【０１５４】
また、本実施形態では、中継制御部１４において、デジタル専用線４より送られてきたデジタル信号から中間信号を検出した場合、”０”挿入部１４１６、１４２６により、このデジタル信号上の前記中間信号を表すパターンが割り当てられている全てのビットをビット値”０”に置き換えている。ＩＴＵ-Ｔ勧告Ｇ．７２６に従ったＡＤＰＣＭ圧縮・伸長において、全てのビット値が”０”のフレームは、無音（変化なし）を示すアナログ音声信号に変換される。したがって、中間信号が、ノイズとして、アナログ端末２ａ、３ｂに影響するのを防ぐことができる。
【０１５５】
なお、本発明は上記の実施形態に限定されものではなく、その要旨の範囲内で数々の変形が可能である。
【０１５６】
例えば、呼制御信号および中間信号間の変換モードは、上記の実施形態に限定されない。また、交換機が採用するインターフェースも、上記の実施形態に限定されない。様々なインターフェース、信号方式を採用する交換機の組合わせに応じて変換モードを予め用意しておくことで、様々な組合わせの交換機間での呼制御信号のやり取りが可能となる。
【０１５７】
また、上記の実施形態では、デジタル専用線４として、ＩＳＤＮ網に接続するＨＳＤサービスを利用したデジタル専用線を例にとり説明したが、本発明は様々なデジタル専用線に適用できる。
【０１５８】
また、上記の実施形態では、アナログ端末２ａ、２ｂを収容する交換機３ａ、３ｂをデジタル専用線４に収容するターミナルアダプタ１ａ、１ｂに本発明を適用した場合を例にとり説明した。しかし、本発明はこれに限定されない。交換機をアナログ専用線に収容する中継装置にも、本発明は広く適用できる。この場合、中間信号として、アナログ専用線上の通話信号が取り得ない帯域の信号つまり、可聴帯域外の音声周波数帯域信号を利用すればよい。
【０１５９】
【発明の効果】
以上説明したように、本発明によれば、交換機のインターフェースおよび信号方式が専用線を介して対向する交換機のインターフェースおよび信号方式と異なる場合でも、この２つの交換機間での呼制御信号のやり取りが可能となる。
【図面の簡単な説明】
【図１】本発明の一実施形態が適用されたターミナルアダプタを用いて構成された通信システムの概略図である。
【図２】本実施形態が適用されたターミナルアダプタ１ａ、１ｂの概略構成を示す図である。
【図３】図２に示す中継制御部１４の概略図である。
【図４】本実施形態のターミナルアダプタ１ａ、１ｂにおける変換モード決定処理の動作を説明するためのフロー図である。
【図５】図１に示す通信システムにおいて、ターミナルアダプタ１ａの変換モードが変換モードＡであり、且つ、ターミナルアダプタ１ａ側のアナログ端末２ａが発呼した場合の通信手順を示す図である。
【図６】図１に示す通信システムにおいて、ターミナルアダプタ１ａの変換モードが変換モードＢであり、且つ、ターミナルアダプタ１ａ側のアナログ端末２ａが発呼した場合の通信手順を示す図である。
【図７】図１に示す通信システムにおいて、ターミナルアダプタ１ａの変換モードが変換モードＣであり、且つ、ターミナルアダプタ１ａ側のアナログ端末２ａが発呼した場合の通信手順を示す図である。
【図８】図１に示す通信システムにおいて、ターミナルアダプタ１ａの変換モードが変換モードＣであり、且つ、ターミナルアダプタ１ｂ側のアナログ端末２ｂが発呼した場合の通信手順を示す図である。
【図９】図１に示す通信システムにおいて、ターミナルアダプタ１ａの変換モードが変換モードＤであり、且つ、ターミナルアダプタ１ａ側のアナログ端末２ａが発呼した場合の通信手順を示す図である。
【図１０】図１に示す通信システムにおいて、ターミナルアダプタ１ａの変換モードが変換モードＤであり、且つ、ターミナルアダプタ１ｂ側のアナログ端末２ｂが発呼した場合の通信手順を示す図である。
【符号の説明】
１ａ、１ｂ…ターミナルアダプタ
２ａ、２ｂ…アナログ端末
３ａ、３ｂ…交換機
４…デジタル専用線
１１…デジタル専用線接続部
１２…ＳＳ/ＳＲ方式４線式ＯＤＩＦ処理部
１３…２線式ＣＯＴＩＦ処理部
１４…中継制御部
１１１…デジタル専用線インターフェース部
１１２…端子盤
１２１、１３１…アナログポート
１２２、１３２…アッテネータ
１２３、１３３…ＡＤＰＣＭコーデック
１２４、１３４…ＰＢレシーバ
１２５、１３５…ＰＢジェネレータ
１２６、１３６…呼制御音生成部
１３７…リバーサ
１３８…ループ検出部
１４１…第１中継制御部
１４２…第２中継制御部
１４３…Ｂチャネルセレクト部
１４４…変換モード決定部
１４５、１４１４、１４２４…セレクタ
１４１１…ＳＳ信号検出部
１４１２、１４２２…ＰＢ信号検出部
１４１３、１４２３…上り制御情報生成部
１４１５、１４２５…下り制御情報生成部
１４１６、１４２６…”０”挿入部
１４１７、１４２７…呼制御音指示部
１４１８…ＳＲ信号指示部
１４１９、１４２９…ＰＢ信号指示部
１４２１…ループ検出部
１４２８…リバース指示部
【図１】
0003897232.tif 000002
【図２】
0003897232.tif 000003
【図３】
0003897232.tif 000004
【図４】
0003897232.tif 000005
【図５】
0003897232.tif 000006
【図６】
0003897232.tif 000007
【図７】
0003897232.tif 000008
【図８】
0003897232.tif 000009
【図９】
0003897232.tif 000010
【図１０】
0003897232.tif 000011